(57)【特許請求の範囲】
【請求項１】
モバイルバッテリーを含み、前記モバイルバッテリーの中にはデータ線が設置され、前記モバイルバッテリーの中には前記データ線の延伸長度を制御できる伸縮機構が設置され、前記伸縮機構の右側には緩衝機構が設置され、前記緩衝機構は前記データ線が自動的に回収されるときに、前記データ線の回収速度を下げられ、前記モバイルバッテリーの中には右方に開口する連結空間が設置され、
前記連結空間の中には洗浄機構が設置され、前記洗浄機構は前記連結空間の下端壁に固定された連結板を含み、前記連結板の左端面には電源線が固定され、前記連結板の右端面には充電チップが固定され、前記連結空間の上端壁の中には下方に開口する移動空間が設置され、前記移動空間の中には移動ブロックと移動ばねとが設置され、前記移動ばねは前記移動ブロックを復位させられ、前記移動空間の中には移動板と伸縮ばねとが設置され、前記移動板は前記移動空間の中で摺動でき、前記伸縮ばねは前記移動板を復位させられ、前記移動ブロックの下端には下端が前記連結空間の中に位置する推動板が固定され、前記移動ブロックの下端面にはさらに下端が前記充電チップと接触するプラスチック毛ブラシが固定され、前記移動空間の上端壁の中には水平移動空間が設置され、前記水平移動空間の中には水平移動ブロックと水平移動ばねとが設置され、前記水平移動ばねは前記水平移動ブロックを復位させられ、前記水平移動ブロックの左端にはさらに左端が前記移動板と連結されたロープが固定され、前記水平移動ブロックの右端面には右端が外部に位置する水平移動棒が固定され、前記水平移動空間の前後端壁の中には前記水平移動空間と連通する二つのばね溝が形成され、前記ばね溝の中には台形棒と復位ばねとが設置され、前記台形棒の一端は前記水平移動空間の中に位置し、前記復位ばねは前記台形棒を復位させられ、前記水平移動空間の前後端壁の中にはさらに前記水平移動空間と連通する二つの摺動溝が形成され、前記摺動溝の中には一端が前記水平移動棒と連結された摺動棒が設置され、
前記移動空間の前後端壁の中にはいずれも回転機構が設置され、利用者持参のデータ線が前記連結空間の中に插入されたあとに、前記洗浄機構は駆動されて前記充電チップを洗浄し、かつ動力を前記回転機構に伝達し、前記回転機構に利用者持参のデータ線を固定させ、接続部の安定を保障することを特徴とするデータ線に対する脱落防止固定収納装置付きの智能型モバイルバッテリー。
【請求項２】
前記伸縮機構は伸縮空間を含み、前記伸縮空間の前後端壁の中にはいずれも推動空間が設置され、前記伸縮空間の前後端壁の中にはさらに前記伸縮空間と連通するばね空間が設置され、前記伸縮空間の中には前後両端がいずれも前記ばね空間の中に位置する位置制限棒が設置され、前記位置制限棒の前後両端の中にはいずれも前記ばね空間と連通するばね穴が設置され、前記ばね穴の中には台形ブロックと圧縮ばねとが設置され、前記圧縮ばねは前記台形ブロックを復位させられ、前記ばね空間と前記推動空間とは八つの連結穴によって連結され、前記推動空間の中には圧迫板が設置され、前記圧迫板の片側端面には一端が前記連結穴の中に位置する付勢ブロックが八つ固定され、かつ前記圧迫板の他側端面には一端が外部に位置する圧迫棒が固定され、前記データ線の右端は前記伸縮空間の右端壁に固定され、かつ前記データ線の左端は前記位置制限棒の左端を通った後に前記伸縮空間の右端壁を貫通し、前記ばね空間の右端壁には左端が前記位置制限棒と連結された連結ばねが固定されていることを特徴とする請求項１に記載のデータ線に対する脱落防止固定収納装置付きの智能型モバイルバッテリー。
【請求項３】
前記緩衝機構は緩衝空間を含み、前記緩衝空間の下端壁の中には上方に開口する位置制限
溝が二つ形成され、前記位置制限溝の中には上端が前記緩衝空間の上端壁と当接する旋転
軸が設置され、前記旋転軸の上端には旋転輪が回転可能に連結され、前記位置制限溝の中
にはさらに位置制限ばねが設置され、前記位置制限ばねは前記旋転軸を復位させられ、前
記圧迫板の片側端面にはさらに一端が前記旋転軸と連結された付勢棒が固定され、前記緩
衝空間の右端壁の中には右方に開口する従動空間が設置され、前記従動空間の中には従動
板が設置され、前記従動板の左端には位置制限板が固定され、前記データ線の左端が前記
伸縮空間の右端壁を貫通したあとに、再び前記緩衝空間と前記位置制限板とを貫通し、前
記データ線の左端には充電ブロックが固定され、前記従動板の右端には上方に開口し、か
つ右端壁が外部と連通する旋転溝が形成され、前記旋転溝の前後端壁の間には従動軸が回
転可能に連結され、前記従動軸と前記旋転軸との端壁は第一捻りばねによって連結され、
前記従動軸にはさらに吸盤が固定されていることを特徴とする請求項２に記載のデータ線
に対する脱落防止固定収納装置付きの智能型モバイルバッテリー。
【請求項４】
前記洗浄機構はさらに連結軸を含み、前記連結軸は前記連結空間の前後端壁の間に回転可能に連結され、前記連結軸と前記連結空間の端壁は第二捻りばねによって連結され、前記連結軸にはさらに前記連結空間を閉鎖できる閉鎖板が固定されていることを特徴とする請求項１に記載のデータ線に対する脱落防止固定収納装置付きの智能型モバイルバッテリー。
【請求項５】
前記回転機構は回転空間を含み、前記回転空間の左端壁には回転軸が回転可能に連結され、前記回転軸の左端には上端が前記台形棒と噛み合った回転歯車が固定され、前記回転空間の上端壁の中には摺動空間が設置され、前記摺動空間は前記摺動溝と前記回転空間とを連通し、前記回転空間の右端壁の中には右方に開口する制限空間が設置され、前記回転軸の右端には右端が前記制限空間の中に位置するスリーブがキーで連結され、前記スリーブの左端には下端が前記スリーブと接触し、かつ上端が前記摺動空間を貫通する連結棒が設置され、前記連結棒は前記摺動棒と連結され、前記スリーブの右端には制限棒が固定され、前記制限空間の左端壁の中には右方に開口する環状空間が設置され、前記環状空間の中には電磁石が設置され、前記電磁石の右端面には右端が前記制限棒と連結された制限ばねが固定されていることを特徴とする請求項１に記載のデータ線に対する脱落防止固定収納装置付きの智能型モバイルバッテリー。
【請求項６】
前記伸縮ばねは前記水平移動ばねより弾力が大きいことを特徴とする請求項１に記載のデータ線に対する脱落防止固定収納装置付きの智能型モバイルバッテリー。
【請求項７】
前記電磁石と前記制限棒との間の磁力は、前記連結棒と前記スリーブとの間の摩擦力より大きいことを特徴とする請求項５に記載のデータ線に対する脱落防止固定収納装置付きの智能型モバイルバッテリー。
【発明の詳細な説明】
【技術分野】
【０００１】
本願発明はモバイルバッテリー分野を取り上げ、特にデータ線に対する脱落防止固定収納装置付きの智能型モバイルバッテリーに関わる。
【背景技術】
【０００２】
現在、多くの場所において、モバイルバッテリーが提供され、携帯電話に充電することに非常に便利であり、また、これらのモバイルバッテリーは基本的にデータ線を備えるため、利用者は需要に応じてそのままモバイルバッテリーを利用できる。
しかし、もし利用者が自ら準備したデータ線を使用すると、これらのモバイルバッテリーのほとんどは、対応する接続口がないため、対応できなく、また、モバイルバッテリーに付属するデータ線は携帯電話に付属するデータ線には劣り、携帯電話の保護に不利であり、さらに、モバイルバッテリーに付属するデータ線は基本的に長さが限定されていて、伸縮することができず、充電すると同時に携帯電話を使用するのに不便であり、ほかにも、一部のモバイルバッテリーに付属するデータ線は長くて、利用後には手動で収納する必要があり、作業量が多い。
【先行技術文献】
【特許文献】
【０００３】
【特許文献１】中国特許出願公開第１０５２４４９７７号明細書
【発明の概要】
【発明が解決しようとする課題】
【０００４】
データ線に対する脱落防止固定収納装置付きの智能型モバイルバッテリーを提供し、データ線の短さや、収納不便などの問題を解消することを目的とする。
【課題を解決するための手段】
【０００５】
本願発明は以下の技術的解決策で実現される。
【０００６】
本願に記載のデータ線に対する脱落防止固定収納装置付きの智能型モバイルバッテリーは、モバイルバッテリーを含み、前記モバイルバッテリーの中にはデータ線が設置され、前記モバイルバッテリーの中には前記データ線の延伸長度を制御できる伸縮機構が設置され、前記伸縮機構の右側には緩衝機構が設置され、前記緩衝機構は前記データ線が自動的に回収されるときに、前記データ線の回収速度を下げられ、前記モバイルバッテリーの中には右方に開口する連結空間が設置され、
前記連結空間の中には洗浄機構が設置され、前記洗浄機構は前記連結空間の下端壁に固定された連結板を含み、前記連結板の左端面には電源線が固定され、前記連結板の右端面には充電チップが固定され、前記連結空間の上端壁の中には下方に開口する移動空間が設置され、前記移動空間の中には移動ブロックと移動ばねとが設置され、前記移動ばねは前記移動ブロックを復位させられ、前記移動空間の中には移動板と伸縮ばねとが設置され、前記移動板は前記移動空間の中で摺動でき、前記伸縮ばねは前記移動板を復位させられ、前記移動ブロックの下端には下端が前記連結空間の中に位置する推動板が固定され、前記移動ブロックの下端面にはさらに下端が前記充電チップと接触するプラスチック毛ブラシが固定され、前記移動空間の上端壁の中には水平移動空間が設置され、前記水平移動空間の中には水平移動ブロックと水平移動ばねとが設置され、前記水平移動ばねは前記水平移動ブロックを復位させられ、前記水平移動ブロックの左端にはさらに左端が前記移動板と連結されたロープが固定され、前記水平移動ブロックの右端面には右端が外部に位置する水平移動棒が固定され、前記水平移動空間の前後端壁の中には前記水平移動空間と連通する二つのばね溝が形成され、前記ばね溝の中には台形棒と復位ばねとが設置され、前記台形棒の一端は前記水平移動空間の中に位置し、前記復位ばねは前記台形棒を復位させられ、前記水平移動空間の前後端壁の中にはさらに前記水平移動空間と連通する二つの摺動溝が形成され、前記摺動溝の中には一端が前記水平移動棒と連結された摺動棒が設置され、
前記移動空間の前後端壁の中にはいずれも回転機構が設置され、利用者持参のデータ線が前記連結空間の中に插入されたあとに、前記洗浄機構は駆動されて前記充電チップを洗浄し、かつ動力を前記回転機構に伝達し、前記回転機構に利用者持参のデータ線を固定させ、接続部の安定を保障する。
【０００７】
好ましくは、前記伸縮機構は伸縮空間を含み、前記伸縮空間の前後端壁の中にはいずれも推動空間が設置され、前記伸縮空間の前後端壁の中にはさらに前記伸縮空間と連通するばね空間が設置され、前記伸縮空間の中には前後両端がいずれも前記ばね空間の中に位置する位置制限棒が設置され、前記位置制限棒の前後両端の中にはいずれも前記ばね空間と連通するばね穴が設置され、前記ばね穴の中には台形ブロックと圧縮ばねとが設置され、前記圧縮ばねは前記台形ブロックを復位させられ、前記ばね空間と前記推動空間とは八つの連結穴によって連結され、前記推動空間の中には圧迫板が設置され、前記圧迫板の片側端面には一端が前記連結穴の中に位置する付勢ブロックが八つ固定され、かつ前記圧迫板の他側端面には一端が外部に位置する圧迫棒が固定され、前記データ線の右端は前記伸縮空間の右端壁に固定され、かつ前記データ線の左端は前記位置制限棒の左端を通った後に前記伸縮空間の右端壁を貫通し、前記ばね空間の右端壁には左端が前記位置制限棒と連結された連結ばねが固定されている。
【０００８】
好ましくは、前記緩衝機構は緩衝空間を含み、前記緩衝空間の下端壁の中には上方に開口する位置制限溝が二つ形成され、前記位置制限溝の中には上端が前記緩衝空間の上端壁と当接する旋転軸が設置され、前記旋転軸の上端には旋転輪が回転可能に連結され、前記位置制限溝の中にはさらに位置制限ばねが設置され、前記位置制限ばねは前記旋転軸を復位させられ、前記圧迫板の片側端面にはさらに一端が前記旋転軸と連結された付勢棒が固定され、前記緩衝空間の右端壁の中には右方に開口する従動空間が設置され、前記従動空間の中には従動板が設置され、前記従動板の左端には位置制限板が固定され、前記データ線の左端が前記伸縮空間の右端壁を貫通したあとに、再び前記緩衝空間と前記位置制限板とを貫通し、前記データ線の左端には充電ブロックが固定され、前記従動板の右端には上方に開口し、かつ右端壁が外部と連通する旋転溝が形成され、前記旋転溝の前後端壁の間には従動軸が回転可能に連結され、前記従動軸と前記旋転軸との端壁は第一捻りばねによって連結され、前記従動軸にはさらに吸盤が固定されている。
【０００９】
好ましくは、前記洗浄機構はさらに連結軸を含み、前記連結軸は前記連結空間の前後端壁の間に回転可能に連結され、前記連結軸と前記連結空間の端壁は第二捻りばねによって連結され、前記連結軸にはさらに前記連結空間を閉鎖できる閉鎖板が固定されている。
【００１０】
好ましくは、前記回転機構は回転空間を含み、前記回転空間の左端壁には回転軸が回転可能に連結され、前記回転軸の左端には上端が前記台形棒と噛み合った回転歯車が固定され、前記回転空間の上端壁の中には摺動空間が設置され、前記摺動空間は前記摺動溝と前記回転空間とを連通し、前記回転空間の右端壁の中には右方に開口する制限空間が設置され、前記回転軸の右端には右端が前記制限空間の中に位置するスリーブがキーで連結され、前記スリーブの左端には下端が前記スリーブと接触し、かつ上端が前記摺動空間を貫通する連結棒が設置され、前記連結棒は前記摺動棒と連結され、前記スリーブの右端には制限棒が固定され、前記制限空間の左端壁の中には右方に開口する環状空間が設置され、前記環状空間の中には電磁石が設置され、前記電磁石の右端面には右端が前記制限棒と連結された制限ばねが固定されている。
【００１１】
好ましくは、前記伸縮ばねは前記水平移動ばねより弾力が大きい。
【００１２】
好ましくは、前記電磁石と前記制限棒との間の磁力は、前記連結棒と前記スリーブとの間の摩擦力より大きい。
【発明の効果】
【００１３】
本願発明は以下のプラス効果を有する：本願発明はシンプルな構成と簡単な操作方法を有し、モバイルバッテリーに付属のデータ線を使用しても、携帯電話に付属のデータ線を使用しても、接続部の安定を確保でき、また、利用者が持参のデータ線を使用するとき、本願発明は自動的にモバイルバッテリーの充電チップに洗浄を行い、接続部の安定を確保し、さらに、モバイルバッテリーに付属のデータ線を利用したあと、データ線を自動的にかつ緩速に回収でき、手動で行う必要がなく、作業量を減らし、ほかにも、伸縮式のデザインで、データ線を延長でき、充電しながらも携帯電話の使用に不便を与えない。
【図面の簡単な説明】
【００１４】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の実施例の構成略図
【図２】図２は本願発明の実施例における伸縮機構の部分断面の上面拡大構成略図
【図３】図３は本願発明の実施例における水平移動空間の全体断面の上面拡大構成略図
【図４】図４は本願発明の実施例における回転機構の部分断面の上面拡大構成略図
【発明を実施するための形態】
【００１６】
図１〜図４を合わせ、本願に記載のデータ線に対する脱落防止固定収納装置付きの智能型モバイルバッテリーは、モバイルバッテリー１０を含み、前記モバイルバッテリー１０の中にはデータ線１４が設置され、前記モバイルバッテリー１０の中には前記データ線１４の延伸長度を制御できる伸縮機構７２が設置され、前記伸縮機構７２の右側には緩衝機構７３が設置され、前記緩衝機構７３は前記データ線１４が自動的に回収されるときに、前記データ線１４の回収速度を下げられ、前記モバイルバッテリー１０の中には右方に開口する連結空間３５が設置され、前記連結空間３５の中には洗浄機構７４が設置され、前記洗浄機構７４は前記連結空間３５の下端壁に固定された連結板３８を含み、前記連結板３８の左端面には電源線３９が固定され、前記連結板３８の右端面には充電チップ３７が固定され、前記連結空間３５の上端壁の中には下方に開口する移動空間３０が設置され、前記移動空間３０の中には移動ブロック２８と移動ばね２９とが設置され、前記移動ばね２９は前記移動ブロック２８を復位させられ、前記移動空間３０の中には移動板４０と伸縮ばね４１とが設置され、前記移動板４０は前記移動空間３０の中で摺動でき、前記伸縮ばね４１は前記移動板４０を復位させられ、前記移動ブロック２８の下端には下端が前記連結空間３５の中に位置する推動板３３が固定され、前記移動ブロック２８の下端面にはさらに下端が前記充電チップ３７と接触するプラスチック毛ブラシ３６が固定され、前記移動空間３０の上端壁の中には水平移動空間５５が設置され、前記水平移動空間５５の中には水平移動ブロック５４と水平移動ばね７６とが設置され、前記水平移動ばね７６は前記水平移動ブロック５４を復位させられ、前記水平移動ブロック５４の左端にはさらに左端が前記移動板４０と連結されたロープ４２が固定され、前記水平移動ブロック５４の右端面には右端が外部に位置する水平移動棒２７が固定され、前記水平移動空間５５の前後端壁の中には前記水平移動空間５５と連通する二つのばね溝５６が形成され、前記ばね溝５６の中には台形棒５８と復位ばね５７とが設置され、前記台形棒５８の一端は前記水平移動空間５５の中に位置し、前記復位ばね５７は前記台形棒５８を復位させられ、前記水平移動空間５５の前後端壁の中にはさらに前記水平移動空間５５と連通する二つの摺動溝６０が形成され、前記摺動溝６０の中には一端が前記水平移動棒２７と連結された摺動棒５９が設置され、前記移動空間３０の前後端壁の中にはいずれも回転機構７５が設置され、
利用者持参のデータ線が前記連結空間３５の中に插入されたあとに、前記洗浄機構７４は駆動されて前記充電チップ３７を洗浄し、かつ動力を前記回転機構７５に伝達し、前記回転機構７５に利用者持参のデータ線を固定させ、接続部の安定を保障する。
【００１７】
好ましくは、前記伸縮機構７２は伸縮空間１２を含み、前記伸縮空間１２の前後端壁の中にはいずれも推動空間４７が設置され、前記伸縮空間１２の前後端壁の中にはさらに前記伸縮空間１２と連通するばね空間１３が設置され、前記伸縮空間１２の中には前後両端がいずれも前記ばね空間１３の中に位置する位置制限棒１１が設置され、前記位置制限棒１１の前後両端の中にはいずれも前記ばね空間１３と連通するばね穴４４が設置され、前記ばね穴４４の中には台形ブロック４３と圧縮ばね４５とが設置され、前記圧縮ばね４５は前記台形ブロック４３を復位させられ、前記ばね空間１３と前記推動空間４７とは八つの連結穴４９によって連結され、前記推動空間４７の中には圧迫板４６が設置され、前記圧迫板４６の片側端面には一端が前記連結穴４９の中に位置する付勢ブロック４８が八つ固定され、かつ前記圧迫板４６の他側端面には一端が外部に位置する圧迫棒５０が固定され、前記データ線１４の右端は前記伸縮空間１２の右端壁に固定され、かつ前記データ線１４の左端は前記位置制限棒１１の左端を通った後に前記伸縮空間１２の右端壁を貫通し、前記ばね空間１３の右端壁には左端が前記位置制限棒１１と連結された連結ばね１５が固定されている。
【００１８】
好ましくは、前記緩衝機構７３は緩衝空間１６を含み、前記緩衝空間１６の下端壁の中には上方に開口する位置制限溝５３が二つ形成され、前記位置制限溝５３の中には上端が前記緩衝空間１６の上端壁と当接する旋転軸１７が設置され、前記旋転軸１７の上端には旋転輪１８が回転可能に連結され、前記位置制限溝５３の中にはさらに位置制限ばね５２が設置され、前記位置制限ばね５２は前記旋転軸１７を復位させられ、前記圧迫板４６の片側端面にはさらに一端が前記旋転軸１７と連結された付勢棒５１が固定され、前記緩衝空間１６の右端壁の中には右方に開口する従動空間２１が設置され、前記従動空間２１の中には従動板２３が設置され、前記従動板２３の左端には位置制限板１９が固定され、前記データ線１４の左端が前記伸縮空間１２の右端壁を貫通したあとに、再び前記緩衝空間１６と前記位置制限板１９とを貫通し、前記データ線１４の左端には充電ブロック２０が固定され、前記従動板２３の右端には上方に開口し、かつ右端壁が外部と連通する旋転溝２４が形成され、前記旋転溝２４の前後端壁の間には従動軸２５が回転可能に連結され、前記従動軸２５と前記旋転軸１７との端壁は第一捻りばね２６によって連結され、前記従動軸２５にはさらに吸盤２２が固定されている。
【００１９】
好ましくは、前記洗浄機構７４はさらに連結軸３１を含み、前記連結軸３１は前記連結空間３５の前後端壁の間に回転可能に連結され、前記連結軸３１と前記連結空間３５の端壁は第二捻りばね３２によって連結され、前記連結軸３１にはさらに前記連結空間３５を閉鎖できる閉鎖板３４が固定されている。  
【００２０】
好ましくは、前記回転機構７５は回転空間６１を含み、前記回転空間６１の左端壁には回転軸６２が回転可能に連結され、前記回転軸６２の左端には上端が前記台形棒５８と噛み合った回転歯車７７が固定され、前記回転空間６１の上端壁の中には摺動空間６５が設置され、前記摺動空間６５は前記摺動溝６０と前記回転空間６１とを連通し、前記回転空間６１の右端壁の中には右方に開口する制限空間６９が設置され、前記回転軸６２の右端には右端が前記制限空間６９の中に位置するスリーブ６８がキーで連結され、前記スリーブ６８の左端には下端が前記スリーブ６８と接触し、かつ上端が前記摺動空間６５を貫通する連結棒６４が設置され、前記連結棒６４は前記摺動棒５９と連結され、前記スリーブ６８の右端には制限棒７０が固定され、前記制限空間６９の左端壁の中には右方に開口する環状空間７１が設置され、前記環状空間７１の中には電磁石６６が設置され、前記電磁石６６の右端面には右端が前記制限棒７０と連結された制限ばね６７が固定されている。
【００２１】
好ましくは、前記伸縮ばね４１は前記水平移動ばね７６より弾力が大きい。
【００２２】
好ましくは、前記電磁石６６と前記制限棒７０との間の磁力は、前記連結棒６４と前記スリーブ６８との間の摩擦力より大きい。
【００２３】
本願発明の作動手順は以下の通りである。
【００２４】
１、吸盤２２を回し、そして吸盤２２を引き動かし、従動板２３と位置制限板１９は従動空間２１から離れ、充電ブロック２０の右端を充電要り装置の充電口に插入し、この時、吸盤２２の上端面は充電要り装置の下端面に吸着し、安定に連結でき、脱落を防止でき、もしデータ線１４の長さは利用者の需要に適しないとき、データ線１４を引き動かして位置制限棒１１を駆動して右方へ運動させ、そして連結ばね１５は圧縮され、台形ブロック４３が連結穴４９を通る時、台形ブロック４３の一端は圧縮ばね４５によって連結穴４９の中に押し込まれ、そして付勢ブロック４８は移動し、圧迫板４６と圧迫棒５０とを移動させ、圧迫棒５０は一端が外部に位置し、かつ付勢棒５１を駆動して移動させ、さらに旋転軸１７を移動させ、さらに旋転輪１８をデータ線１４から離れさせ、台形ブロック４３の一端が連結穴４９の中に位置しているため、位置制限棒１１は復位できなく、一定の長さを有するデータ線１４は外部に留まることができる。
【００２５】
２、利用者が充電ブロック２０を引き抜くとき、吸盤２２は離脱し、そして利用者が圧迫棒５０を押すことで、圧迫板４６を移動させられ、さらに付勢ブロック４８に台形ブロック４３をばね穴４４の中に押し戻させ、そして位置制限棒１１は制限を失い、連結ばね１５が復位して位置制限棒１１を復位させ、圧迫板４６が復位するため、付勢棒５１は旋転軸１７を駆動して復位させ、そして旋転輪１８にデータ線１４と接触させ、データ線１４が復位するとき、旋転輪１８はデータ線１４の復位速度を制限し、従動板２３が復位したあと、本願発明は復位を完了とする。
【００２６】
３、利用者が持参のデータ線のプラグを連結空間３５の中に插入するとき、プラグはまず推動板３３を押して左方へ運動させ、そして移動ブロック２８とプラスチック毛ブラシ３６とは駆動されて左方へ運動し、プラスチック毛ブラシ３６はまず充電チップ３７を擦り、充電チップ３７の端面の清潔さを保ち、プラグが完全に連結空間３５の中に入りかつ充電チップ３７と完全に接触したあと、移動ブロック２８は移動板４０を駆動して最も右側へ移動させ、ロープ４２を緩め、そして水平移動ブロック５４は右方へ運動し、水平移動棒２７を右方へ運動させ、水平移動棒２７の右端を外部に位置させ、水平移動棒２７が右方へ運動して摺動棒５９を駆動して右方へ運動させ、そして連結棒６４は駆動されて移動し、さらにスリーブ６８は駆動されて右方へ運動し、制限棒７０を制限空間６９から離れさせ、制限棒７０が完全に制限空間６９から離脱するとき、制限ばね６７は最大限に引っ張られ、このとき、水平移動棒２７はまだ右方へ運動し続け、連結棒６４はスリーブ６８を駆動して運動させることを止め、このとき、水平移動ブロック５４は二本の台形棒５８と接触し、台形棒５８は移動して回転歯車７７を駆動して回転させ、そして回転軸６２とスリーブ６８とは駆動されて回転し、さらに制限棒７０は駆動されて回転し、制限棒７０の一端をプラグの右側に位置させ、プラグの脱落を防止する。
【００２７】
４、プラグを抜き出すとき、水平移動棒２７の右端を押して水平移動棒２７を復位させ、そして水平移動ブロック５４は左方へ移動して台形棒５８を復位させ、回転歯車７７を逆方向へ回転させ、制限棒７０を逆方向へ回転させ、かつプラグは制限されなくなり、このとき、移動ばね２９は復位して移動ブロック２８を駆動して復位させ、そして推動板３３を復位させ、データ線のプラグは自動的に連結空間３５から離脱し、このときに移動板４０は復位し、ロープ４２は改めて締め、制限棒７０が初期状態の角度まで逆回転したとき、電磁石６６が作動して制限棒７０とスリーブ６８とを駆動して左方へ運動させ、スリーブ６８は復位し、制限棒７０は制限空間６９の中に戻り、本願発明は復位を完了とする。
【００２８】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願はデータ線に対する脱落防止固定収納装置付きの智能型モバイルバッテリーを開示した。
【解決手段】
本願はデータ線に対する脱落防止固定収納装置付きの智能型モバイルバッテリーを開示し、モバイルバッテリーを含み、前記モバイルバッテリーの中にはデータ線が設置され、前記モバイルバッテリーの中には前記データ線の延伸長度を制御できる伸縮機構が設置され、前記伸縮機構の右側には緩衝機構が設置され、前記緩衝機構は前記データ線が自動的に回収されるときに、前記データ線の回収速度を下げられ、本願発明はシンプルな構成と簡単な操作方法を有し、モバイルバッテリーに付属のデータ線を使用しても、携帯電話に付属のデータ線を使用しても、接続部の安定を確保でき、また、利用者が持参のデータ線を使用するとき、本願発明は自動的にモバイルバッテリーの充電チップに洗浄を行い、接続部の安定を確保できる。
【選択図】図１【図１】
0006808119.tif 000002
【図２】
0006808119.tif 000003
【図３】
0006808119.tif 000004
【図４】
0006808119.tif 000005